(57)【要約】      （修正有）【課題】車いすを常用している男性の下肢障害者が簡単に着用することができる新郎用婚礼衣装を提供する。【解決手段】ジャケット１と袴２とダミーシャツ３とからなり、ジャケットは、アームホール１０を大きく形成すると共に、袖口１２を広く開口できるようにし、前身頃１５のフロントカット１６をアール状に形成すると共に、後身頃の下部にベントを形成し、袴２は、前布２０と後布の中央部裏面を中仕切りで接続し、前布の両側部裏面と後布の両側部裏面とに互いに着脱自在に係合する係止具を設け、該係止具の着脱により前布と後布の両側部を開閉可能に形成し、前布と後布の上辺部を袋状に形成して、該上辺部の両側部を除く袋状部にゴム紐を挿通することによって、前布と後布の両側部を閉止した状態でウエスト部が伸縮可能になるように形成し、ダミーシャツは、前身頃と衿３１と肩ヨークとで形成する。【選択図】図１
0003203185.tif 000002
【実用新案登録請求の範囲】
【請求項１】
ジャケットと袴とジャケットの下に着用するダミーシャツとからなり、
ジャケットは、アームホールを大きく形成すると共に、両袖の袖口を本開きにして袖口を広く開口できるようにし、かつ、前身頃の裾のフロントカットを腰から斜めにアール状に形成すると共に、後身頃の下部にベントを形成し、
袴は、前布と後布の中央部裏面を中仕切りで接続すると共に、前布の両側部裏面と後布の両側部裏面とに互いに着脱自在に係合する係止具を設け、該係止具の着脱により前布と後布の両側部を開閉可能に形成し、かつ、前布と後布の上辺部を袋状に形成して、該上辺部の両側部を除く袋状部にゴム紐を挿通することによって、前布と後布の両側部を閉止した状態で袴のウエスト部が伸縮可能になるように形成し、
ダミーシャツは、後身頃と袖を除いた前身頃と衿と肩ヨークとで形成して脇下を開放したことを特徴とする車いす常用の新郎用婚礼衣装。
【考案の詳細な説明】
【技術分野】
【０００１】
本考案は、車いすを常用する男性が記念日となる結婚式に長時間着用が可能な車いす常用の新郎用婚礼衣装に関するものである。
【背景技術】
【０００２】
従来、新婦用の車いす利用者のための婚礼衣装としては、スマイルエッセンス合同会社の「車いす一体型ドレスIｓｃｏ（イスコ）」（非特許文献１参照）があるが、新郎用の車いす利用者のための婚礼衣装はなかった。そのため、車いすを利用している男性が結婚する場合には健常者用のタキシードや紋付き袴を着用して結婚式を行っていた。
【０００３】
しかしながら、従来のタキシードや紋付き袴は車いす利用者の着用を想定して作成されていないため、車いす利用者がタキシードや紋付き袴を着用するのは大変であった。また、車いすの利用者の障害の度合いによっては、脚部の筋力衰退や変形、あるいは欠損などがあるので、健常者用のタキシードや紋付き袴の着用をすることができず、着用できたとしても不自然さを伴う場合があるなどの問題もあった。また、従来のタキシードや紋付き袴を車いす利用の新郎が長時間着用した場合、着崩れの発生や、ベルトや腰紐などが腹部を圧迫して気分が悪くなるなどの問題もあった。
【先行技術文献】
【非特許文献】
【０００４】
【非特許文献１】スマイルエッセンス合同会社の「車いす一体型ドレスIｓｃｏ（イスコ）」、２０１５年２月３日発行の「毎日新聞」朝刊（株式会社毎日新聞社）
【考案の概要】
【考案が解決しようとする課題】
【０００５】
本考案は、車いすを常用している男性の下肢障害者が簡単に着用することができ、使用中に着崩れすることがなく、また、長時間着用しても腹部を圧迫することもない車いす常用の新郎用婚礼衣装を提供することを課題としている。
【課題を解決するための手段】
【０００６】
上記の課題を解決するために、本考案（請求項１）の車いす常用の新郎用婚礼衣装は、
ジャケットと袴とジャケットの下に着用するダミーシャツとからなり、
ジャケットは、アームホールを大きく形成すると共に、両袖の袖口を本開きにして袖口を広く開口できるようにし、かつ、前身頃の裾のフロントカットを腰から斜めにアール状に形成すると共に、後身頃の下部にベントを形成し、
袴は、前布と後布の中央部裏面を中仕切りで接続すると共に、前布の両側部裏面と後布の両側部裏面とに互いに着脱自在に係合する係止具を設け、該係止具の着脱により前布と後布の両側部を開閉可能に形成し、かつ、前布と後布の上辺部を袋状に形成して、該上辺部の両側部を除く袋状部にゴム紐を挿通することによって、前布と後布の両側部を閉止した状態で袴のウエスト部が伸縮可能になるように形成し、
ダミーシャツは、後身頃と袖を除いた前身頃と衿と肩ヨークとで形成して脇下を開放した構成とした。
【考案の効果】
【０００７】
本考案の車いす常用の新郎用婚礼衣装は、ジャケットのアームホールを広く形成すると共に、袖口を本開きにして袖口を広く開口できるようにしているので、車いす常用の新郎は、ジャケットを車いすに座った状態でも容易に着用することができる。また、ジャケットの裾のフロントカットは腰から斜めにアール状に形成されているので、長期間着用してもジャケットの裾が折れて着崩れが生じることがない。また、ジャケットの後身頃の下部にベントを設けているので、車いすに座って長時間着用してもしわになることがない。
【０００８】
袴は、前布と後布の中央部裏面を中仕切りで接続すると共に、前布の両側部裏面と後布の両側部裏面とに互いに着脱自在に係合する係止具を設け、該係止具の着脱により前布と後布の両側部を開閉可能に形成しているので、車いすに座っている新郎に着用させるときは、前布と後布の両側部の係止具を外して開放しておき、新郎を抱え上げて、腰部と脚部の後方に後布を敷き、腰部と脚部の前方に前布を当て、前布と後布の両側部の係止具を係合させることにより新郎の下半身に袴を着用させることができる。トイレのために袴を脱がせるときは、前布と後布の係止具を外して両側部を開放して新郎から脱がせることができる。また、袴は、前布と後布の上辺部を袋状に形成して、該上辺部の両側部を除く袋状部にゴム紐を挿通することによって、前布と後布の両側部を係合した状態で袴のウエスト部が伸縮可能になるように形成しているので、ベルトや腰紐を使わなくてよく、車いすで長時間着用しても腹部が圧迫されて気分が悪くなることもない。また、前布と後布にはプリーツ（袴のひだ）が形成されるが、後布のプリーツの数を通常の袴に比べて少なくすると、車いすに座ったときにしわの発生を防ぐことができる。また、袴の素材として熱可塑性のポリエステル生地を使用すると、熱セットが容易で半永久的に形が崩れない。
【０００９】
ダミーシャツは、後身頃と袖を除いた前身頃と衿と肩ヨークとで形成され、脇下が開放されているから、車いすの新郎のインナーの上から被せるようにして着用させることができる。これによりインナーを複数枚着用した上からも容易に着用させることができるし、着用中にジャケットに着崩れが生じることも防止することができる。
【図面の簡単な説明】
【００１０】
【図１】本考案の車いす常用の新郎用婚礼衣装を示す正面図である。
【図２】本考案の車いす常用の新郎用婚礼衣装を示す背面図である。
【図３】本考案の車いす常用の新郎用婚礼衣装を構成するジャケットと袴を示す正面図である。
【図４】本考案の車いす常用の新郎用婚礼衣装を構成するジャケットと袴を示す背面図である。
【図５】本考案の車いす常用の新郎用婚礼衣装のダミーシャツの前部を示す正面図である。
【図６】本考案の車いす常用の新郎用婚礼衣装のダミーシャツの後部を示す正面図である。
【図７】本考案の車いす常用の新郎用婚礼衣装のダミーシャツを示す側面図である。
【図８】本考案の車いす常用の新郎用婚礼衣装のジャケットの袖口の本開き部分を示す説明図である。
【図９】本考案の車いす常用の新郎用婚礼衣装の袴の係止具を示すために前布の右側部を開いた状態を示す説明図である。
【図１０】袴のウエスト部に巻きつけて使用するカマーバンドを示す正面図である。
【図１１】袴のウエスト部に巻きつけて使用するカマーバンドを示す背面図である。
【考案を実施するための形態】
【００１１】
以下、本考案の実施の形態を図面に基づいて説明する。
本実施例の車いす常用の新郎用婚礼衣装Ａは、図１に示すように、ジャケット１と袴２とジャケット１の下に着用するダミーシャツ３とから構成される。
【００１２】
ジャケット１は、新郎の上半身に着用するもので、図１及び図２に示すように、車いすに座った状態で裾部分がしわになることを防ぐためにジャケットの着丈を短く形成している。そして、ジャケット１のアームホール１０は、通常のジャケット１に比べて大きく形成して、新郎が車いすに座ったままで腕をジャケット１の袖１１に容易に挿通できるようにしている。また、ジャケット１の両袖１１，１１の袖口１２は、図８に示すように、袖ボタン１３とスナップボタン１４とにより本開きに形成し、袖口１２を広く開口することができるようにして、車いすに座った新郎がジャケット１を容易に着用することができるようにしている。また、ジャケット１の前身頃１５の裾のフロントカット１６は腰から斜めにアール状に形成し、また、後身頃１７の下部にはベント１８を形成して車いすで長時間着用してもジャケット１に型崩れが発生したり、裾にしわが生じないようにしている。尚、図中、１９は袖ボタン１３を留めるボタンホールである。また、図示していないが、袖１１の先端部裏面には前記スナップボタン１４と係合するスナップボタンが取り付けられている。
【００１３】
袴２は、新郎の下半身に着用するもので、図３、図４、図９に示すように、前布２０と後布２１の中央部裏側を中仕切り（図示せず）で接続すると共に、前布２０と後布２１の両側部を接続せずに開放して略Ｈ状に形成している。中仕切りの高さは、車いすを利用する下肢障害者に容易に着用させることができるよう通常の袴に比べて股上が深くなるように調整されている。また、前布２０の両側部裏面２０ａには，その上端部からボタンホール（係止具）２０ｂと複数のスナップボタン（係止具）２０ｃが設けられ、また、後布２１の両側部裏面２１ａには、その上端部から前記ボタンホール２０ｂと係脱自在な袴ボタン（係止具）２１ｂと前記スナップボタン２０ｃと係脱自在な複数のスナップボタン（係止具）２１ｃが設けられている。そして、前布２０のボタンホール２０ｂに後布２１の袴ボタン２１ｂを係脱すると共に前布２０のスナップボタン２０ｃと後布２１のスナップボタン２１ｃとを係脱することにより、前布２０と後布２１の両端部を開閉できるようにしている。また、前布２０と後布２１の上辺部２２を袋状に形成して該上辺部２２の両側部を除く袋状部２３にゴム紐（図示せず）を挿通することによって、前布２０と後布２１の両側部を係合させたとき、袴２のウエスト部を伸縮可能に形成して、車いすに座っている新郎が長時間袴を着用しても腹部が押圧されて気分が悪くならないようにしている。また、袴２は、プリーツの型崩れを防ぐため、熱セットすると半永久的に崩れない熱可塑性の性質を持つポリエステル１００％の生地を使用する。尚、２４は前プリーツ、２５は後プリーツで、後プリーツ２５の数を前プリーツ２４より少なくすることにより、座ったときにしわが発生することを防いでいる。２６は袴を新郎に履かせた後にウエスト部の上から装着するカマーバンド、２７はカマーバンドの両側に設けた互いに着脱自在に係合するスナップボタンである。２８はジャケットの前身頃先端部を留める飾リボンである。
【００１４】
ダミーシャツ３は、ジャケット１の下に着用するもので、図５から図７に示すように、前身頃３０と衿３１と肩ヨーク３２とで構成され、通常のシャツのように後身頃と袖がなく、図７に示すように、シャツ本体の脇下が開放されて、インナーの上から被せるようにして着用させることができる。これにより、インナーを複数枚着ていてもその上から容易に着用させることができるし、また、ジャケットが型崩れすることも防止することができる。本実施例では、シャツのボディスタイルを比翼仕立てとしている。尚、図中３３はピンタックである。
【００１５】
したがって、本考案の車いす常用の新郎用婚礼衣装Ａを車いすに座っている新郎に着せるときは、まず、インナーの上からダミーシャツ３を被せて、前ボタン（図示せず）を留めて着用させる。次に、ダミーシャツ３の上からジャケット１を着用させる。本実施例では、ジャケット１のアームホール１０を大きくすると共に、両袖１１，１１の袖口１２を本開きにして広く開けることができるようにしているので、車いすに座っている新郎に容易に着用させることができる。次に、袴２の両側部の係止具２０ｂ，２０ｃ，２１ｂ，２１ｃを外して前布２０と後布２１の両側部を開放しておき、両足の間に中仕切りが位置するようにして袴２の後布２１を新郎の臀部と腰部の後方に敷き、前布２０を腰部と脚部の前方から被せ、両側部の係止具２０ｂ，２０ｃ，２１ｂ，２１ｃを係合することにより、袴２を新郎の下半身に着せることができる。結婚式の途中でトイレに行くときは、袴２の前布２０と後布２１の両側部の係止具２０ｂ，２０ｃ，２１ｂ，２１ｃを外すことにより、新郎から簡単に袴２を脱がせることができる。
【００１６】
本考案では、上記のように構成したので、車いすを利用する新郎も婚礼衣装を着て結婚式を行うことができる。ジャケット１はアームホール１０を大きくし、また、袖口１２も本開きに形成して袖口１２を広く開くことができるようにしているので、関節が硬い人や腕や上半身に障害がある人でも容易にジャケット１を着用することができる。
また、袴２は、左右両側部を開閉自在に形成しているので、新郎に着用させることや脱がせることを容易に行うことができる。中仕切りを低くして股上を深く形成しているので、下肢障害者であっても容易に着用することができる。
また、ダミーシャツ３は、前身頃３０と衿３１と肩ヨーク３２だけで形成して、後身頃と袖を取り付けていないので、新郎の肩から被せるようにして着用させることができる。そのため、インナーの上から容易に着用することができる上に、ジャケットの型崩れを防止することができる。
【符号の説明】
【００１７】
Ａ  新郎用婚礼衣装
１  ジャケット
１０  アームホール
１１  袖
１２  袖口
１５  前身頃
１６  フロントカット
１７  後身頃
１８  ベント
２    袴
２０  前布  
２０ａ  前布の側部裏面
２０ｂ  ボタンホール（係止具）
２０ｃ  スナップボタン（係止具）
２１  後布
２１ａ  後布の側部裏面
２１ｂ  袴ボタン（係止具）
２１ｃ  スナップボタン（係止具）
２２  上辺部
２３  袋状部
２４  前プリーツ
２５  後プリーツ
２６  カマーバンド
２７  スナップボタン
２８  飾リボン
３    ダミーシャツ
３０  前身頃
３１  衿
３２  肩ヨーク
【図１】
0003203185.tif 000003
【図２】
0003203185.tif 000004
【図３】
0003203185.tif 000005
【図４】
0003203185.tif 000006
【図５】
0003203185.tif 000007
【図６】
0003203185.tif 000008
【図７】
0003203185.tif 000009
【図８】
0003203185.tif 000010
【図９】
0003203185.tif 000011
【図１０】
0003203185.tif 000012
【図１１】
0003203185.tif 000013